(57)【要約】      （修正有）【課題】固着剤等の薬剤によらず、機械的に緩み止めを行う事ができ、ボルトの螺合を確実に行う事のできる埋め込みねじの設置構造を提供する。【解決手段】型枠の一部を構成するベースプレート１２と、ねじ孔１６の形成部の一方の開口端部をベースプレート１２に接合した埋め込みナット１４と、埋め込みナット１４の他方の開口端部に、少なくともボルト４０を構成するネジ部４２の突出スペースを形成し、確保可能な養生手段２６と、ベースプレート１２を露出させた状態で埋め込みナット１４の接合側側面に打設されるコンクリート等充填材と、を有し、埋め込みナット１４には、緩み止め機構が備えられている。【選択図】図１
0003215110.tif 000002
【実用新案登録請求の範囲】
【請求項１】
型枠の一部を構成するベースプレートと、
ねじ孔形成部の一方の開口端部を前記ベースプレートに接合した埋め込みナットと、
前記埋め込みナットの他方の開口端部に、少なくともボルト突出スペースを形成、確保可能な養生手段と、
前記ベースプレートを露出させた状態で前記埋め込みナットの接合側側面に打設される充填材と、を有し、
前記埋め込みナットには、緩み止め機構が備えられていることを特徴とする埋め込みねじの設置構造。
【請求項２】
前記養生手段は、前記埋め込みナットの外周を覆うカバーであることを特徴とする請求項１に記載の埋め込みねじの設置構造。
【請求項３】
前記養生手段は、前記埋め込みナットの他方の開口端部に接続された可撓部材であることを特徴とする請求項１に記載の埋め込みねじの設置構造。
【請求項４】
前記養生手段は、前記埋め込みナットの他方の開口端部に接続されたナットと、前記ナットの開口端部を覆う封止部材であることを特徴とする請求項１に記載の埋め込みねじの設置構造。
【考案の詳細な説明】
【技術分野】
【０００１】
本考案は、枠部材の内側にコンクリート等の充填材を打設する際に、枠部材に設けられる埋め込みねじの設置構造に関する。
【背景技術】
【０００２】
ＡＬＣ・プレキャストコンクリートなどにより構成されるパネル面や、コンクリート打設部内に埋め込みねじを設置する場合、ナットなどのねじ構成部材の周囲に打設されるコンクリート等の充填材の流動範囲をいかに制限するかが問題となる。このような背景の下、例えば特許文献１に開示されている技術は、ＡＬＣパネル内に、プレートに溶接したナットを埋設する際の技術であり、ＡＬＣパネル内にプレートを含むナット全体を埋設した後、ナット開口部のみを座掘りする際に好適な技術とされている。具体的には、ナットにおけるプレート溶接側と反対側の開口部に、ポリエチレン発砲体等により構成された蓋部材を嵌挿して開口部を閉塞した状態でＡＬＣパネルの形成を行うというものである。ポリエチレン発砲体等により構成された蓋部材は、ＡＬＣパネルのオートクレーブ養生温度で溶融し、その体積が減少する。このため、ＡＬＣパネル内においてナットの開口部近傍には、蓋部材により構成された空隙が生じることとなる。ＡＬＣパネルに対する座掘りは、この空隙を捉えるように行えば良いため、施工範囲の限定が容易となる。
【０００３】
また、特許文献２に開示されている技術は、特許文献１に開示されている技術と同様に、ＡＬＣパネル内にナットを埋設するための技術であるが、その形態を多岐に亙らせている。一貫した技術内容としては、ねじ部を設けたナット両端の開口部に、スポンジゴム製の蓋を設けるという点がある。
【先行技術文献】
【特許文献】
【０００４】
【特許文献１】特開平４−７７０９７号公報
【特許文献２】特開平１０−７２８７３号公報
【考案の概要】
【考案が解決しようとする課題】
【０００５】
上記特許文献に開示されているような技術を用いれば、埋め込みねじを設置する際、ねじ内部へ充填材が入り込む事を防ぐ事ができると共に、ねじ部の後方には、ボルトの螺合に必要なボルトが突出するスペースを確保することができる。
【０００６】
しかし、従来より知られている埋め込みねじは、開口部に単純なねじ穴が設けられる構成である。このため、風や地震、その他の微振動等により、経年的に螺合したボルトに緩みが生じるおそれがある。こうした緩みを防止するために、ねじ止め剤（固着剤）を使用して緩み止めを図る事が考えられるが、こうした固着剤を用いた場合、増し締めなどのメンテナンスが困難になると共に、固着剤としての耐久性，保証年数も限られている。このため、継続的な使用に関しては、緩み止め性能についての信頼性が低いといった問題がある。
【０００７】
そこで本発明では、固着剤等の薬剤によらず、機械的に緩み止めを行う事ができ、かつボルトの螺合を確実に行う事のできる埋め込みねじの設置構造を提供することを目的とする。
【課題を解決するための手段】
【０００８】
上記目的を達成するための本考案に係る埋め込みねじの設置構造は、型枠の一部を構成するベースプレートと、ねじ孔形成部の一方の開口端部を前記ベースプレートに接合した埋め込みナットと、前記埋め込みナットの他方の開口端部に、少なくともボルト突出スペースを形成、確保可能な養生手段と、前記ベースプレートを露出させた状態で前記埋め込みナットの接合側側面に打設される充填材と、を有し、前記埋め込みナットには、緩み止め機構が備えられていることを特徴とする。
【０００９】
また、上記特徴を有する埋め込みねじの設置構造において、前記養生手段は、前記埋め込みナットの外周を覆うカバーとすることができる。このような特徴を有する事によれば、容易かつ確実に、埋め込みナットの他方の開口端部に突出スペースを形成することができる。
【００１０】
また、上記特徴を有する埋め込みねじの設置構造において、前記養生手段は、前記埋め込みナットの他方の開口端部に接続された可撓部材とすることもできる。このような特徴を有する事によれば、カバーよりも安価に突出スペースを形成することが可能となる。
【００１１】
さらに、上記特徴を有する埋め込みねじの設置構造において、前記養生手段は、前記埋め込みナットの他方の開口端部に接続されたナットと、前記ナットの開口端部を覆う封止部材により構成することもできる。このような特徴を有すれば、容易に入手可能な部材により、養生手段を構成することが可能となる。
【考案の効果】
【００１２】
上記のような特徴を有する埋め込みねじの設置構造によれば、固着剤等の薬剤によらず、機械的に緩み止めを行う事ができる。また、ボルトの螺合を確実に行う事ができ、増し締め等のメンテナンスも可能となる。
【図面の簡単な説明】
【００１３】
【図１】第１の実施形態に係る埋め込みねじの設置構造を示す断面図である。
【図２】発明に係る埋め込みねじの設置構造に使用する埋め込みナットの構成を示す断面概略図である。
【図３】緩み止め機構を構成するバネの構成を示す平面図である。
【図４】第１の実施形態に係る埋め込みねじの設置構造において、養生手段を小型カバーとする場合の例を示す断面図である。
【図５】第２の実施形態に係る埋め込みねじの設置構造を示す断面図である。
【図６】第３の実施形態に係る埋め込みねじの設置構造を示す断面図である。
【考案を実施するための形態】
【００１４】
以下、本考案の埋め込みねじの設置構造に係る実施の形態について、図面を参照して詳細に説明する。なお、以下に示す形態は、本考案を実施する上で好適な実施形態の一部であり、その機能を発揮することができる限度において、構成の一部や、その形態に変化を加えた場合であっても、本考案の一部とみなすことができる。
【００１５】
［第１の実施形態：基本形態］
まず、図１から図６を参照して、本考案の埋め込みねじの設置構造１０に係る第１の実施形態について説明する。本考案に係る埋め込みねじの設置構造１０は、コンクリート等の充填材５０を硬化させて構成される壁面や床面、柱側面、梁側面、梁下面、あるいは天井面に先付けする埋め込みねじを設置するための技術であり、基本形態として、充填材（例えばコンクリートなど）５０により構成される取付面に露出するベースプレート１２と、このベースプレート１２に接合され、充填材５０に埋設される埋め込みナット１４と、を有する。
【００１６】
ベースプレート１２は、コンクリート等の充填材５０を打設する際の型枠の一部を成すものであれば良く、例えば鋼板などの金属により構成されるものであれば良い。ベースプレート１２の形態は特に限定されるものでは無く、例えば図１に示すようなＬ字状の断面を持つアングル材であっても良いし、図４に示すような平板状のものであっても良い。ベースプレート１２には、コンクリート５０を打設した際に、その固定状態を安定させるための抜け止め金具１２ｂを備えるようにすると良い。なお、図１では、抜け止め金具１２ｂを独立して設けるように示しているが、抜け止め金具１２ｂは、図示しない躯体を構成する主筋や肋筋に絡めるように配置しても良い。また、ベースプレート１２には、埋め込みナット１４に形成されたねじ孔１６にボルト４０を誘導するための貫通孔１２ａが形成されている。貫通孔１２ａは、ナット１４の取り付け形態によって、その大きさを定めれば良い。例えば、図１に示すように、充填材５０を打設する側の側面にナット１４を接合する場合、貫通孔１２ａは、取り付けを予定するボルト４０におけるねじ部４２の直径よりも大きく、ボルト４０が螺合する埋め込みナット１４の外形よりも小さなものとする。一方、図示しないが、貫通孔１２ａにナット１４自体を埋め込む（収容する）場合には、貫通孔１２ａをナット１４の外形よりも大きなものとする。
【００１７】
図１に示す形態の場合埋め込みナット１４は、ベースプレート１２における充填材５０を打設する側の側面（以下、コンクリート打設側側面と称す）に接合される。埋め込みナット１４の接合は、埋め込みナット１４のねじ孔形成部を貫通孔１２ａに位置合わせした状態で成される。具体的には、埋め込みナット１４の一方の開口端部をベースプレート１２におけるコンクリート等の充填材打設側側面に当接させ、埋め込みナット１４の周囲とベースプレート１２とを溶接すれば良い。なお、ベースプレート１２と埋め込みナット１４との溶接は、その全周を行う必要は無く、脱落を防ぐ事ができる程度のスポット溶接とすれば良い。
【００１８】
本実施形態に係る埋め込みナット１４には、図２に示すような、緩み止め機構２０を備えるための凹部１８が形成されている。緩み止め機構２０は、埋め込みナット１４に螺合したボルト４０の緩み止めを図り、ボルト４０、およびボルト４０により支持、係合した取付物の脱落を防止する機能を発揮する役割を担う要素である。なお、図１、図４（Ｂ）に示す例では、ボルト４０により支持される取付物として、取付の基礎となるベース４４を示している。なお、図４において、図４（Ａ）は、埋め込みねじの設置構造そのものの断面構造を示すものであり、図４（Ｂ）は、埋め込みねじの設置構造を利用してベース４４をボルト４０で固定した状態の断面構造を示す図である。
【００１９】
本実施形態における緩み止め機構２０とは、例えば図２に断面、図３に平面構成を示すようなバネなどにより構成されるものであれば良く、その機能としては、ねじ孔１６に螺合したボルト４０のねじ部４２に螺着し、ボルト４０に付勢力を与えると共にボルト４０に加えられる振動等を弾性的に緩和する役割を担うものである。図２、図３に示す緩み止め機構２０は、埋め込みナット１４に形成された凹部１８の内側に当接して回り止めを成す第１バネ部２２と、第１バネ部２２に接続され、第１バネ部２２の内周側に配置されてボルト４０のねじ部４２に螺着する第２バネ部２４を有する構造とされている。
【００２０】
また、本実施形態に係る埋め込みねじの設置構造１０では、埋め込みナット１４の外周に養生手段２６を備えている。養生手段２６は、埋め込みナット１４の他方の開口部（ベースプレート１２に接合されていない側の開口部）に、少なくともボルト４０のねじ部４２が突出可能なスペースを確保する事のできる突出スペース２８を形成するための要素である。本実施形態では、例えば図１に示すようなカバーを養生手段２６としている。
【００２１】
また、図１に示す形態では、養生手段２６は、突出スペース２８以外にも、埋め込みナット１４の側面に空間を形成するような大型のカバーを採用しているが、図４に示すような、埋め込みナット１４の側面に空間を形成しない小型のカバーとしても良い。具体的には、埋め込みナット１４の側面（外周）に嵌合するカバーである。このような構成のカバーであれば、埋め込みナット１４における他方の開口部側に突出スペース２８を確保することができると共に、カバーの固定を容易に行う事が可能となる。なお、カバーの材質、形態については、限定するものでは無いが、例えば図４に示すような嵌合型のカバーでは、可撓性を有する材質により構成することで、埋め込みナット１４に対する嵌め込みを容易とすることができる。なお、養生手段２６を図４に示すような小型のカバーとする場合、埋め込みナット１４の外周とカバーの内周が密接する構造となるように構成すると良い。突出スペース２８内への充填材５０の侵入を防止するためである。
【００２２】
埋め込みナット１４の他方の開口部に養生手段２６を設ける事により、充填材５０を打設した際、突出スペース２８への充填材５０の侵入を防ぐことができる。よって、ベースプレート１２の一方の面（充填材５０を打設しない側の側面）からボルト４０を螺合した場合に、ボルト４０のねじ部４２を埋め込みナット１４の他方の開口部側へ突出させることができる。このため、ボルト４０のねじ部４２は、埋め込みナット１４のねじ孔１６に十分に掛かることとなり、螺合を確実なものとすることができる。
【００２３】
また、埋め込みナット１４には、緩み止め機構２０が備えられているため、螺合したボルト４０が振動等により緩むおそれがない。さらに、固着剤等の薬剤による固定を行わないため、増し締め等のメンテナンスを容易に行う事ができ、長期の耐久性も確保できる。ここで、緩み止め機構２０を備えたナットのみを埋め込んだ場合、コンクリート等の充填材５０が緩み止め機構２０に付着して、その機能を十分に発揮することができなくなるおそれがある。本実施形態に係る埋め込みねじの設置構造１０では、養生手段２６により、突出スペース２８に対するコンクリートなどの充填材類の侵入を防止、抑制しているため、緩み止め機構２０の機能が損なわれるおそれが無く、高い緩み止め効果を発揮することができる。
【００２４】
［第２の実施形態：可撓部材］
次に、図５を参照して、本考案の埋め込みねじの設置構造に係る第２の実施形態について説明する。なお、図５において、図５（Ａ）は、埋め込みねじの設置構造そのものの断面構造を示す図であり、図５（Ｂ）は、埋め込みねじの設置構造を利用してベースをボルトにより固定した状態の例を示す断面図である。
【００２５】
本形態においても、その基礎とする構成は、上述した第１の実施形態に係る埋め込みねじの設置構造１０と同様である。すなわち、貫通孔１２ａを有するベースプレート１２と、この貫通孔１２ａに対して位置合わせされ、一方の開口端部を接合されている埋め込みナット１４を有するという構造を基礎としている。そして、埋め込みナット１４には、図２、図３に示すような緩み止め機構２０が備えられている点も同様である。よって、その機能を同一とする箇所には、図面に同一符号を附して、詳細な説明は省略することとする。
【００２６】
本実施形態に係る埋め込みねじの設置構造１０Ａと、第１の実施形態に係る埋め込みねじの設置構造１０との相違点は、養生手段２６ａの構成にある。具体的には、第１の実施形態における養生手段２６は、埋め込みナット１４の側面、および他方の開口端部を覆うカバーであるとしていた。これに対し本実施形態に係る埋め込みねじの設置構造１０Ａでは、埋め込みナット１４の他方の開口端部に直接、養生手段２６ａを接続する構成としている。ここで、本実施形態における養生手段２６ａは、スポンジや発泡ウレタン、発泡スチロール、柔軟な樹脂などの可撓部材により構成されるものとしている。可撓部材の種類は多岐に亙るが、材料選択の指標の１つとして、充填材５０の含浸を抑制できる程度の止水性を備え、かつ打設される充填材５０の重さ（圧力）により潰されない程度の耐圧性を備えたものであれば良い。なお、埋め込みナット１４の他方の開口端部に対する養生手段２６ａの接続には、接着剤や両面テープなどを用いるようにすれば良い。
【００２７】
このような埋め込みねじの設置構造１０Ａの場合、図５（Ｂ）に示すように、ボルト４０を埋め込みナット１４に螺合させると、多孔性可撓部材により構成された養生手段２６ａに撓みが生じ、ボルト４０のねじ部４２を埋め込みナット１４の他方の開口部側から突出させることが可能となる。つまり、本実施形態に係る埋め込みねじの設置構造１０Ａでは、突出スペース２８は、養生手段２６ａの変形によって確保されることとなる。また、養生手段２６ａは、大型の可撓部材を適宜カットして使用することが可能となるため、カバーを用いる場合よりも安価に突出スペース２８を確保することが可能となる。
【００２８】
その他の構成、作用、効果については、上述した第１の実施形態に係る埋め込みねじの設置構造１０と同様である。
【００２９】
［第３の実施形態：ダブルナット］
次に、図６を参照して、本考案の埋め込みねじの設置構造に係る第３の実施形態について説明する。なお、図６において、図６（Ａ）は、埋め込みねじの設置構造そのものの断面構造を示す図であり、図６（Ｂ）は、埋め込みねじの設置構造を利用してベースをボルトにより固定した状態の例を示す断面図である。
【００３０】
本実施形態においても、その基礎とする構成は、上述した第１の実施形態に係る埋め込みねじの設置構造１０と同様である。すなわち、貫通孔１２ａを有するベースプレート１２と、この貫通孔１２ａに対して位置合わせされ、一方の開口端部を接合されている埋め込みナット１４を有するという構造を基礎としている。そして、埋め込みナット１４には、図２、図３に示すような緩み止め機構２０が備えられている点も同様である。よって、その機能を同一とする箇所には、図面に同一符号を附して、詳細な説明は省略することとする。
【００３１】
本実施形態に係る埋め込みねじの設置構造１０Ｂと、第１の実施形態に係る埋め込みねじの設置構造１０との相違点も、第２の実施形態に係る埋め込みねじの設置構造１０Ａと同様に、養生手段２６ｂの構成にある。本実施形態では、突出スペース２８を確保するための養生手段２６ｂとして、ナット２６ｂ１と、このナット２６ｂ１の開口部を封止する封止部材２６ｂ２を採用している。
【００３２】
養生手段２６ｂにナット２６ｂ１を利用する場合、図６（Ａ）に示すように、埋め込みナット１４にボルト４０を螺合させた状態で、養生手段２６ｂとしてのナット２６ｂ１を螺合させ、この状態で充填材５０の打設を行うようにすると良い。このようにして養生手段２６ｂとしてのナット２６ｂ１を配置、および固定すれば、埋め込みナット１４のねじ溝と、養生手段２６ｂとしてのナット２６ｂ１のねじ溝にズレが生じることがなく、ベース４４等の取付物を固定するためのボルト４０をスムーズに螺合させることが可能となる。
【００３３】
養生手段２６ｂとしてのナット２６ｂ１の開口部を封止する封止部材２６ｂ２としては、その材質等を限定するものでは無い。例えば、ビニールテープなどの粘着性貼付材料であっても良いし、止水性を有する布や、板材を貼りつける形態としても良い。ナット２６ｂ１やビニールテープなどの封止部材２６ｂ２は、容易に入手可能な部材である。このため、本実施形態に係る埋め込みねじの設置構造１０Ｂによれば、既存の部材を利用して突出スペース２８を確保する事が可能となる。
【００３４】
埋め込みねじの設置構造１０Ｂをこのような形態とした場合であっても、突出スペース２８の確保、およびボルト４０の緩み止めといった効果を得ることができる。よって、上述した第１の実施形態に係る埋め込みねじの設置構造１０と同様な効果を奏することができる。なお、実際の使用時には、コンクリート等の充填材５０を打設し、これが硬化した後、養生手段２６ｂとしてのナット２６ｂ１の位置決めのために螺合させたボルト４０を一旦抜き取り、ベース４４等の固定を成す。よって、埋め込みナット１４を構成する緩み止め機構２０は、所定の力を加える事により、ボルト４０との螺合を解く可逆的な作業が可能なナットである。
【００３５】
また、上記実施形態では、緩み止め機構２０の一例として、螺旋状のスプリングにより構成される旨記載した。しかしながら、本発明に係る緩み止め機構２０は、その機能を発揮する事が可能であれば、具体的な形態を問うものではない。例えば、ボルトのねじ溝に噛み合う突起部を有するバネプレート状のものであっても良い。また、本実施形態に係る埋め込みナット１４は、工具を用いてナット自体を回転させる事はない。よって、埋め込みナット１４の外形形状についても、六角形に限定するものではない。
【符号の説明】
【００３６】
１０，１０Ａ，１０Ｂ………埋め込みねじの設置構造、１２………ベースプレート、１２ａ………貫通孔、１２ｂ………抜け止め金具、１４………埋め込みナット、１６………ねじ孔、１８………凹部、２０………緩み止め機構、２２………第１バネ部、２４………第２バネ部、２６，２６ａ，２６ｂ………養生手段、２６ｂ１………ナット、２６ｂ２………封止部材、２８………突出スペース、４０………ボルト、４２………ねじ部、４４………ベース、５０………充填材（コンクリート）。
【図１】
0003215110.tif 000003
【図２】
0003215110.tif 000004
【図３】
0003215110.tif 000005
【図４】
0003215110.tif 000006
【図５】
0003215110.tif 000007
【図６】
0003215110.tif 000008